【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
【請求項１】
正規サービスと、該正規サービスの提供に先立って提供する暫定サービスとの双方を提供するサーバマシンとの間で通信回線によって接続され、該サーバマシンが提供するサービスシステムに加入して、該サーバマシンからの、該サービスシステムに則ったサービスの提供を受けるクライアントマシンにおいて、
前記サーバマシンが提供する暫定サービスを利用する暫定サービス利用部と、
前記暫定サービス利用部が前記暫定サービスを利用している間、前記正規サービスにおいて利用できる時間的に変化するポイントを表示するポイント表示部と、
前記サーバマシンが提供する正規サービスを利用するための手続きを行なう正規サービス利用手続部とを備えたことを特徴とするクライアントマシン。
【請求項２】
前記正規サービス利用手続部による手続きを行なった後において前記サーバマシンが提供する正規サービスの利用を継続する正規サービス利用部を備えたことを特徴とする請求項１記載のクライアントマシン。
【請求項３】
サービスの提供を受けるクライアントマシンとの間で通信回線によって接続され、自分が提供するサービスシステムに加入したクライアントマシンに対しサービスの双方を提供するサーバマシンにおいて、
このサーバマシンは、正規サービスと、該正規サービスの提供に先立って提供する暫定サービスとを提供するものであって、
正規サービス提供前のクライアントマシンに対し暫定サービスを提供する暫定サービス提供部と、
前記暫定サービス提供部による暫定サービスの提供を受けているクライアントマシンからの、正規サービスを利用するための手続きを受け付ける正規サービス利用手続受付部と、
前記正規サービス利用手続きを受け付けたクライアントマシンへの正規サービスを提供する正規サービス提供部とを備え、
前記正規サービス提供部は、前記正規サービス利用手続受付部が手続きを受け付けたクライアントマシンに対し該手続きを受け付けるまでの間に前記暫定サービス提供部が提供した暫定サービスに応じたポイントに応じたサービスを行なうものであることを特徴とするサーバマシン。
【請求項４】
前記正規サービス提供部は、前記正規サービス利用手続受付部が手続きを受け付けたクライアントマシンに対し正規サービスを継続的に提供するものであることを特徴とする請求項３記載のサーバマシン。
【請求項５】
前記正規サービス提供部は、前記正規サービス利用手続受付部が手続きを受け付けたクライアントマシンに対し正規サービスを継続的に提供するとともに、該正規サービスの利用状況に応じた付加サービスを提供するためのポイントを与えるものであって、さらに、該正規サービス提供部は、前記正規サービス利用手続受付部が手続きを受け付けたクライアントマシンに対し該手続きを受け付けるまでの間に前記暫定サービス提供部が提供した暫定サービスに応じたポイントを初期値として与えるサービスを行なうものであることを特徴とする請求項４記載のサーバマシン。
【請求項６】
正規サービスと、該正規サービスの提供に先立って提供する暫定サービスとの双方を提供するサーバマシンとの間で通信回線によって接続されたコンピュータ内で実行され、該コンピュータを、該サーバマシンが提供するサービスシステムに加入して、該サーバマシンからの、該サービスシステムに則ったサービスの提供を受けるクライアントマシンとして動作させるクライアントプログラムにおいて、
前記コンピュータを、
前記サーバマシンが提供する暫定サービスを利用する暫定サービス利用部と、前記暫定サービス利用部が前記暫定サービスを利用している間、前記正規サービスにおいて利用できる時間的に変化するポイントを表示するポイント表示部と、
前記サーバマシンが提供する正規サービスを利用するための手続きを行なう正規サービス利用手続部とを備えたクライアントマシンとして動作させることを特徴とするクライアントプログラム。
【請求項７】
サービスの提供を受けるクライアントマシンとの間で通信回線によって接続されたコンピュータ内で実行され、該コンピュータを、自分が提供するサービスシステムに加入したクライアントマシンに対しサービスを提供するサーバマシンとして動作させるサーバプログラムにおいて、
このサーバプログラムは、正規サービスと、該正規サービスの提供に先立って提供する暫定サービスとの双方を提供するものであって、
前記コンピュータを、
正規サービス提供前のクライアントマシンに対し暫定サービスを提供する暫定サービス提供部と、
前記暫定サービス提供部による暫定サービスの提供を受けているクライアントマシンからの、正規サービスを利用するための手続きを受け付ける正規サービス利用手続受付部と、
前記正規サービス利用手続きを受け付けたクライアントマシンへの正規サービスを提供する正規サービス提供部とを備え、
前記正規サービス提供部は、前記正規サービス利用手続受付部が手続きを受け付けたクライアントマシンに対し該手続きを受け付けるまでの間に前記暫定サービス提供部が提供した暫定サービスに応じたポイントに応じたサービスを行なうものであるサーバマシンとして動作させることを特徴とするサーバプログラム。
【請求項８】
正規サービスと、該正規サービスの提供に先立って提供する暫定サービスとの双方を提供するサーバマシンとの間で通信回線によって接続されたコンピュータ内で実行され、該コンピュータを、該サーバマシンが提供するサービスシステムに加入して、該サーバマシンからの、該サービスシステムに則ったサービスの提供を受けるクライアントマシンとして動作させるクライアントプログラムを記憶したクライアントプログラム記憶媒体において、
前記コンピュータを、
前記サーバマシンが提供する暫定サービスを利用する暫定サービス利用部と、
前記暫定サービス利用部が前記暫定サービスを利用している間、前記正規サービスにおいて利用できる時間的に変化するポイントを表示するポイント表示部と、
前記サーバマシンが提供する正規サービスを利用するための手続きを行なう正規サービス利用手続部とを備えたクライアントマシンとして動作させるクライアントプログラムを記憶したことを特徴とするクライアントプログラム記憶媒体。
【請求項９】
サービスの提供を受けるクライアントマシンとの間で通信回線によって接続されたコンピュータ内で実行され、該コンピュータを、自分が提供するサービスシステムに加入したクライアントマシンに対しサービスを提供するサーバマシンとして動作させるサーバプログラムを記憶したサーバプログラム記憶媒体において、
このサーバプログラムは、正規サービスと、該正規サービスの提供に先立って提供する暫定サービスとの双方を提供するものであって、
前記コンピュータを、
正規サービス提供前のクライアントマシンに対し暫定サービスを提供する暫定サービス提供部と、
前記暫定サービス提供部による暫定サービスの提供を受けているクライアントマシンからの、正規サービスを利用するための手続きを受け付ける正規サービス利用手続受付部と、
前記正規サービス利用手続きを受け付けたクライアントマシンへの正規サービスを提供する正規サービス提供部とを備え、前記正規サービス提供部は、前記正規サービス利用手続受付部が手続きを受け付けたクライアントマシンに対し該手続きを受け付けるまでの間に前記暫定サービス提供部が提供した暫定サービスに応じたポイントに応じたサービスを行なうものであるサーバマシンとして動作させるサーバプログラムを記憶したことを特徴とするサーバプログラム記憶媒体。
【請求項１０】
ユーザマシンに対してサーバマシンによりサービスを提供するサービス提供方法であって、
前記サービスは、加入ユーザが利用するユーザマシンに対して提供される正規サービスと、該正規サービスの提供に先立って非加入ユーザが利用するユーザマシンに提供される暫定サービスとからなり、
正規サービス提供前のユーザマシンに対し暫定サービスを提供し、
前記ユーザマシンによる前記暫定サービスの利用時間を記憶し、
前記暫定サービスの提供を受けているユーザマシンからの正規サービスを利用するための手続きを受け付け、
前記正規サービス利用手続きを受けるまでの前記ユーザマシンによる前記暫定サービスの利用時間に応じたポイントを算出し、
前記正規サービス利用手続きが行われたユーザマシンに対して正規サービスを提供すると共に、該利用手続きを行ったユーザに対して前記算出されたポイントに応じたサービスを行なう、
ことを特徴とするサービス提供方法。
【手続補正２】
【補正対象書類名】明細書
【補正対象項目名】０００７
【補正方法】変更
【補正の内容】
【０００７】
【課題を解決するための手段】
上記目的を達成する本発明のクライアントマシンは、正規サービスと、その正規サービスの提供に先立って提供する暫定サービスとの双方を提供するサーバマシンとの間で通信回線によって接続され、そのサーバマシンが提供するサービスシステムに加入して、そのサーバマシンからの、そのサービスシステムに則ったサービスの提供を受けるクライアントマシンにおいて、
上記サーバマシンが提供する暫定サービスを利用する暫定サービス利用部と、
暫定サービス利用部が暫定サービスを利用している間、正規サービスにおいて利用できる時間的に変化するポイントを表示するポイント表示部と、
サーバマシンが提供する正規サービスを利用するための手続きを行なう正規サービス利用手続部とを備えたことを特徴とする。
【手続補正３】
【補正対象書類名】明細書
【補正対象項目名】００２８
【補正方法】変更
【補正の内容】
【００２８】
また、上記目的を達成する本発明のクライアントプログラムは、正規サービスと、その正規サービスの提供に先立って提供する暫定サービスとの双方を提供するサーバマシンとの間で通信回線によって接続されたコンピュータ内で実行され、そのコンピュータを、そのサーバマシンが提供するサービスシステムに加入して、そのサーバマシンからの、そのサービスシステムに則ったサービスの提供を受けるクライアントマシンとして動作させるクライアントプログラムであり、
上記コンピュータを、
サーバマシンが提供する暫定サービスを利用する暫定サービス利用部と、
暫定サービス利用部が暫定サービスを利用している間、正規サービスにおいて利用できる時間経過に応じて順次変化するポイントを表示するポイント表示部と、
サーバマシンが提供する正規サービスを利用するための手続きを行なう正規サービス利用手続部とを備えたクライアントマシンとして動作させることを特徴とする。
【手続補正４】
【補正対象書類名】明細書
【補正対象項目名】００３２
【補正方法】変更
【補正の内容】
【００３２】
さらに、上記目的を達成する本発明のクライアントプログラム記憶媒体は、正規サービスと、その正規サービスの提供に先立って提供する暫定サービスとの双方を提供するサーバマシンとの間で通信回線によって接続されたコンピュータ内で実行され、そのコンピュータを、そのサーバマシンが提供するサービスシステムに加入して、サーバマシンからの、そのサービスシステムに則ったサービスの提供を受けるクライアントマシンとして動作させるクライアントプログラムを記憶したクライアントプログラム記憶媒体であり、
上記コンピュータを、
サーバマシンが提供する暫定サービスを利用する暫定サービス利用部と、
暫定サービス利用部が暫定サービスを利用している間、正規サービスにおいて利用できる時間経過に応じて順次変化するポイントを表示するポイント表示部と、
サーバマシンが提供する正規サービスを利用するための手続きを行なう正規サービス利用手続部とを備えたクライアントマシンとして動作させるクライアントプログラムを記憶したことを特徴とする。